(57)【要約】【課題】使用者が姿勢を崩しても安定して正座ができるうえ体格の異なる種々の使用者に対応できる正座椅子を提供する。【解決手段】円弧側を前方とした半楕円形状の座部１の下面を、前記座部１より小さい半楕円形状とした支持台板２１に支持脚２２を立設してなる脚部２の該支持脚２２の上端に形成した前下がり傾斜面２３に取り付ける。【選択図】図１
0003126599.tif 000002
【実用新案登録請求の範囲】
【請求項１】
円弧側を前方とした半楕円形状の座部の下面を、前記座部より小さい半楕円形状として円弧側を前方とした支持台板に支持脚を立設してなる脚部の該支持脚の上端に形成した前下がり傾斜面に取り付けたことを特徴とする正座椅子。
【請求項２】
支持台板の左右にそれぞれ前方には高さの低い支持脚を後方には高さの高い支持脚を立設したものとして、左右の各前後の支持脚の上端に形成した傾斜面間に座部取付板を張設したうえこの左右の座部取付板に座部の下面を取り付けた請求項１に記載の正座椅子。
【考案の詳細な説明】
【技術分野】
【０００１】
本考案は、正座時の足への負担を軽減して正座を行えるようにするための正座椅子に関するうものである。
【背景技術】
【０００２】
正座を行うことに慣れていない人や、足・腰に故障があって正座ができない人が足への負担の軽減して正座することのできる正座椅子としては従来より種々のものが知れている（例えば、特許文献１、２参照）。
【０００３】
しかしながら正座椅子は、使用者が姿勢を崩すと安定性に欠けるものであり、また、体格の異なる種々の使用者にも対応できる配慮に欠けるものでもあった。
【特許文献１】登録実用新案第３０４６０６３号公報
【特許文献２】特開２００５−１５２３４２公報
【考案の開示】
【考案が解決しようとする課題】
【０００４】
本考案は前記のような問題点を解決して、使用者が姿勢を崩しても安定して正座ができるうえ体格の異なる種々の使用者に対応できる正座椅子を提供することを目的として完成されたものである。
【課題を解決するための手段】
【０００５】
本考案の正座椅子は、円弧側を前方とした半楕円形状の座部の下面を、前記座部より小さい半楕円形状として円弧側を前方とした支持台板に支持脚を立設してなる脚部の該支持脚の上端に形成した前下がり傾斜面に取り付けたものを基本の考案とする。
【０００６】
そして、この考案において、支持台板の左右にそれぞれ前方には高さの低い支持脚を後方には高さの高い支持脚を立設したものとして、左右の各前後の支持脚の上端に形成した傾斜面間に座部取付板を張設したうえこの左右の座部取付板に座部の下面を取り付けたものとすることが好ましいものである。
【考案の効果】
【０００７】
前記のような本考案は、脚部が支持台板に支持脚を立設してなるものであるから、載置する畳上、床上等には面積の広い支持台板をもって支持されるので使用者が座部の前後のどの位置に臀部を載せて正座しても、また、姿勢を崩しても、或いは胡座をしても倒れることなく安定して使用できるものであり、さらに、設置面への圧力も分散されるので畳上に設置しても畳表を傷めることが無いものである。また、座部の下面は支持台板に立設した支持脚の上端に形成した前下がり傾斜面に取り付けたものであるから、座部は前傾斜しているので使用者は臀部を載せる座部の前後位置を調節することにより使用者の体格に合った高さの位置で正座できるものであり、さらに、座部が円弧側を前方とした半楕円形状のものであるので座部の後方に臀部を載せても座部の前方は徐々に細幅となっているので正座や胡座の邪魔となることは無いものである。
【０００８】
また、支持台板は、円弧側を前方とした半楕円形状の座部より小さい半楕円形状としたものであるから、座部の下側に位置する使用者の両脚の膝下部が支持台板の緩やかな凸状湾曲面に形成した側端面に触れるものであるから不快感を感じることのないものである。
【０００９】
また、支持台板の左右にそれぞれ前方には高さの低い支持脚を後方には高さの高い支持脚を立設したものとして、左右の各前後の支持脚の上端に形成した傾斜面間に座部取付板を張設したうえこの左右の座部取付板に座部の下面を取り付けたものとすることにより、座部に加わる加重が４本の支持脚に分散されたうえ支持台板に加わるのでより安定して正座することができるものとなる。また、4本の支持脚は、上端は座部取付板により左右において前後２本の支持脚が連結されておおり下端は支持台板により４本の支持脚が連結されているので強度も優れていて体重の重い人にも充分耐えることができるものである。
【考案を実施するための最良の形態】
【００１０】
次に、本考案の好ましい実施の形態を図面に基づき説明する。
１は円弧側を前方とした半楕円形状の座部であり、該座部１は木板、合板製の座板１１の上面にウレタンフォーム、綿花等のクッション材１２を積層したうえ布、レザー、皮革等のカバー材１３で被覆したものである。なお、座部１は厚手の木板や合板のもので一枚により構成したものであってもよい。
【００１１】
２は脚部であり、該脚部２は前記座部１より小さい半楕円形状として円弧側を前方とした支持台板２１に上端を前下がり傾斜面２３に形成した支持脚２２を立設してなるものであり、該支持脚２２の傾斜面２３に前記座部１の下面を取り付けて座部１の上面を前下がり傾斜面としている。
【００１２】
図示の実施形態では、脚部２は、支持台板２１の左右にそれぞれ前方には高さの低い支持脚２２（２２ａ）を後方には高さの高い支持脚２２（２２ｂ）を立設したものとして、左右の各前後の支持脚２２ａ、２２ｂの上端に形成した傾斜面２３、２３間に座部取付板３を張設したうえこの左右の座部取付板３、３に座部１の下面を取り付けて座部１の上面を前下り傾斜面としている。
【００１３】
このように構成されたものは、脚部２が支持台板２１に支持脚２２を立設してなるものであるから、載置する場所である畳上、床面上等には面積の広い支持台板２１をもって支持されるので使用者が座部１のどのような位置に臀部を載せて正座しても、また、姿勢を崩しても、或いは胡座をしても安定して使用できるものである。さらに、設置面への圧力も分散されるので畳上に設置しても畳表を傷めることが無いものである。
【００１４】
また、座部１の下面は支持台板２１に立設した支持脚２２の上端に形成した前下がり傾斜面２３に取り付けたものであるから、座部１は前傾斜しているので使用者は臀部の載せる座部１の前後位置を調節することにより使用者の体格に合った高さの位置で正座できるものである。さらに、座部１の後方に臀部を載せても座部１が前方を徐々に細幅とする円弧側を前方とした半楕円形状したものあるから座部前方が正座や胡座の邪魔となることは無いものである。
【００１５】
また、支持台板２１は、円弧側を前方とした半楕円形状とした座部１より小さい半楕円形状して円弧側を前方としたものであるから、座部１の下側に位置する使用者の両脚の膝下部が支持台板２１の緩やかな凸状湾曲面に形成した側端面に触れるものであるから不快感を感じることのないものである。
【００１６】
また、支持台板２１の左右にそれぞれ前方には高さの低い支持脚２２ａを後方には高さの高い支持脚２２ｂを立設したものとして、左右の各前後の支持脚２２ａ、２２ｂの上端に形成した傾斜面２３、２３間に座部取付板３を張設したうえ左右の座部取付板３、３に座部１の下面を取り付けたものとすることにより、座部１に加わる加重が４本の支持脚２２に分散されたうえ支持台板２１に加わるのでより安定して正座することができるものとなる。また、4本の支持脚２２は、上端は座部取付板３により左右において前後２本の支持脚２２ａ、２２ｂが連結されておおり下端は支持台板２１により４本の支持脚２２が連結されているので強度も優れていて体重の重い人にも充分耐えることができるものである。
【００１７】
なお、図示のものは４本の支持脚２２を支持台板２１に立設したものであるが、この他に、太い支持脚を支持台板２１の中央に１本立設したものであっても、２本、３本であってもよいことは勿論である。
【図面の簡単な説明】
【００１８】
【図１】本考案の実施形態を示す斜視図。
【図２】本考案の実施形態を示す一部切欠側面図。
【符号の説明】
【００１９】
１  座部
２  脚部
21  支持台板
22  支持脚
23  傾斜面
３  座部取付板
【図１】
0003126599.tif 000003
【図２】
0003126599.tif 000004